(57)【特許請求の範囲】
【請求項１】
適宜数の軸方向に並べられた紙管に沿って配されたガイドレールに案内されて、装置本体が走行しながら前記紙管の表面に接着テープを貼付する紙巻き取り紙管に対する接着テープ貼付装置において、
前記ガイドレールの一部であって、隣接する紙管の端部同士に対応した位置に、前記装置本体を紙管から離隔する方向へ移動させる離隔手段を設け、
装置本体が紙管の端部同士が対応した位置を通過する際に、前記離隔手段によって装置本体がガイドレールから離隔するようにしたことを特徴とする紙巻き取り紙管に対する接着テープ貼付装置。
【請求項２】
前記離隔手段は、前記ガイドレールに該ガイドレールから膨出させて設けた離隔ガイド部であることを特徴とする請求項１に記載の紙巻き取り紙管に対する接着テープ貼付装置。
【請求項３】
前記離隔ガイド部をガイドレールに着脱自在としたことを特徴とする請求項２に記載の紙巻き取り紙管に対する接着テープ貼付装置。
【請求項４】
前記ガイドレールの表面にホルダ孔を形成し、前記離隔ガイド部に該ホルダ孔に挿抜自在な支持脚部を設けて、該離隔ガイド部をガイドレールに着脱自在としたことを特徴とする請求項３に記載の紙巻き取り紙管に対する接着テープ貼付装置。
【発明の詳細な説明】
【０００１】
【産業上の利用分野】
この発明は、ワインダー装置で巻き取られる紙の芯となる紙管に、該巻き取られる紙の先端部を貼着させる接着テープを貼付する装置に関し、特に巻取紙の幅員よりも小さい範囲に接着テープを貼付することができるようにした紙巻き取り紙管に対する接着テープ貼付装置に関する。
【０００２】
【従来の技術】
抄紙機によって製造された紙は、その抄紙機が許容する最大限の抄紙幅とほぼ等しい幅員で形成されている。この最大限の幅員の巻取紙では、直接印刷機などに供することができないから、それぞれの用途に応じて必要な幅員の巻取紙に形成し直すことが必要となり、製紙工場からはこの形成し直された巻取紙が出荷されることになる。このため、抄紙機で製造された巻取紙がワインダー装置に供されて所望の幅員の巻取紙に巻き直されることになる。
【０００３】
ワインダー装置では、その供給側に抄紙機で製造された巻取紙がセットされ、完成側には巻取紙の要求される幅員に対応した長さの適宜数の紙管がその軸方向に並べられてセットされ、供給側に提供された巻取紙をスリッターナイフなどを通して所望の幅員に切断して、切断された紙が前記それぞれの紙管に巻き取られるようにしてある。それぞれの紙管に切断された紙を確実に巻き取るためには、紙の先端部が紙管の表面に貼着されなけらばならない。このため、紙を巻き取る前の紙管の外周面には接着テープが貼付される。なお、この接着テープは両面接着テープである場合と、片面接着テープをその幅員の中央部で二つ折りに折曲し一方の面で紙管に接着させ他方の面に紙の先端部を接着するようにする場合がある。
【０００４】
前記接着テープを紙管の表面に貼付するには、接着テープ貼付装置が用いられている。この種の接着テープ貼付装置として、例えば特開平４−129962号公報に記載された巻取機における巻芯管（紙管）への粘着テープの貼り付け方法及びその装置などがある。この粘着テープの貼り付け装置の概略の構造を、図６に示してある。紙管１の軸と平行に、貼り付け装置を構成する装置本体２の走行を案内するレール３が設けられ、この装置本体２を昇降自在に設けると共に、該装置本体２に粘着テープ４を保持させ、紙管１に粘着テープ４を貼着する際には装置本体２を下降させて該装置本体２に支持されたテーピングローラ５を紙管１に当接させ、装置本体２をレール３に沿って走行させながら粘着テープ４を貼付する構造とされている。なお、装置本体２の走行は、例えば実用新案第2587168号公報に係るワインダー装置におけるテープ貼り装置に記載されているようなチェーン駆動やベルト駆動など公知の機構によって行われる。また、紙管１は、粘着テープ４を貼付する位置と紙を巻き取る位置との間で揺動自在に設けられた図示しないアームによって支持され、粘着テープ４が貼付された紙管１は該アームの揺動によって巻き取り位置まで移動させられるようにしてある。
【０００５】
【発明が解決しようとする課題】
しかしながら、上述した従来の紙巻き取り紙管に対する接着テープ貼付装置では、次のような問題が生じるおそれがある。粘着テープ４は、図６に示すように、軸方向に並べられた適宜数の紙管１のほぼ全域にわたって貼付される。貼付の始点と終点では粘着テープ４の端部を紙管に対して任意の位置に調整することができるが、紙管同士が隣接した部分では粘着テープ４は連続しているから、該粘着テープ４は紙管の端部まで貼付された状態となる。ワインダー装置で巻き直しが完了したそれぞれの巻取紙６（図７示）は、床面を転がされてワインダー装置から排出され、それぞれの巻取紙６に分割される。このとき粘着テープ４がそれぞれの紙管１の間で剪断力を受けて切断されるが、転がす際の力の掛かり具合で粘着テープ４が巻取紙６の間で切断されずに、一方の巻取紙６側にはみ出た状態となって切断されてしまう場合があった。このため、図７に示すように、紙管１の端部からはみ出た粘着テープ４が巻取紙６の側面に接着されてしまうおそれがある。
【０００６】
粘着テープ４が側面に接着した巻取紙６を印刷機などに供すると、粘着テープ４が抵抗となって、あるいは粘着テープ４の粘着性が巻取紙６の側面に移行して、該巻取紙６の巻き戻しが円滑に行われず、断紙が生じて印刷作業などに支障が生じるおそれがある。
【０００７】
そこで、この発明は、紙管に貼付された接着テープの端部を、該紙管の端部から適宜長さ内側であって巻取紙の幅員の内側に位置した部分に位置させることができて、端部が巻取紙の側面に接着することを防止した紙巻き取り紙管に対する接着テープ貼付装置を提供することを目的としている。
【０００８】
【課題を解決するための手段】
前記目的を達成するために、この発明に係る紙巻き取り紙管に対する接着テープ貼付装置は、適宜数の軸方向に並べられた紙管に沿って配されたガイドレールに案内されて、装置本体が走行しながら前記紙管の表面に接着テープを貼付する紙巻き取り紙管に対する接着テープ貼付装置において、前記ガイドレールの一部であって、隣接する紙管の端部同士に対応した位置に、前記装置本体を紙管から離隔する方向へ移動させる離隔手段を設け、装置本体が紙管の端部同士が対応した位置を通過する際に、前記離隔手段によって装置本体がガイドレールから離隔するようにしたことを特徴としている。
【０００９】
装置本体がガイドレールに案内されて走行すると、接着テープが紙管の表面に貼付される。この装置本体が紙管の端部同士に対応した位置を走行する際には、装置本体がガイドレールから離隔させられる。接着テープが確実にむらなく貼付されるためには接着テープは適宜に緊張された状態にあり、装置本体がガイドレールから離隔した際には、接着テープに作用する張力が該接着テープの強度よりも大きくなるので、接着テープが切断される。また、装置本体が紙管の端部同士に対応した位置を通過した後は切断部が紙管に接触するから、接着テープは紙管への貼付が再開される。このため、装置本体が紙管の端部同士に対応した位置を通過する部分では接着テープが貼付されないことになり、即ち紙管の端部には接着テープが貼付されない状態となる。
【００１０】
前記離隔手段としては、装置本体を昇降自在に設け、適宜位置に装置本体が達した場合には装置本体を上昇させてガイドレールから離隔する構造とすることができる。
【００１１】
また、請求項２の発明に係る紙巻き取り紙管に対する接着テープ貼付装置は、前記離隔手段は、前記ガイドレールに該ガイドレールから膨出させて設けた離隔ガイド部であることを特徴としている。
【００１２】
装置本体が離隔ガイド部を走行する際には、ガイドレールから膨出させた離隔ガイド部に案内されて、装置本体がガイドレールから離隔することになる。このため、接着テープの張力が大きくなって、該接着テープが切断される。離隔ガイド部を通過した後は、装置本体はガイドレールに案内されるから接着テープの切断された端部が紙管に接触し、紙管への接着を再開する。
【００１３】
離隔ガイド部を通過した装置本体が再びガイドレールに案内されるようにするには、装置本体の自重によって離隔ガイド部に沿ってガイドレールまで下降するようにすることができるが、付勢手段によってガイドレールに案内される方向に装置本体が移動するよう付勢してあれば、確実にガイドレールに案内されることができるので好ましい。
【００１４】
また、請求項３の発明に係る紙巻き取り紙管に対する接着テープ貼付装置は、前記離隔ガイド部をガイドレールに着脱自在としたことを特徴としている。
【００１５】
巻取紙の幅員は用途に応じて異なるから、ワインダー装置は、スリッターナイフの取り付け位置を変更することにより巻取紙の切断個所を異ならせて、巻取紙の各種用途に対応できるようにしてある。このため、紙管の長さも巻取紙の幅員に応じて変更され、紙管の端部同士の位置が変更される。前記離隔ガイド部が着脱自在としてあれば、この変更に対応することができる。そして、紙管の長さに応じて離隔ガイド部をガイドレールの装着すればよい。
【００１６】
また、請求項４の発明に係る紙巻き取り紙管に対する接着テープ貼付装置は、前記ガイドレールの表面にホルダ孔を形成し、前記離隔ガイド部に該ホルダ孔に挿抜自在な支持脚部を設けて、該離隔ガイド部をガイドレールに着脱自在としたことを特徴としている。
【００１７】
前記支持脚部を前記ホルダ孔に挿入すれば、離隔ガイド部がガイドレールに装着される。このホルダ孔を紙管の長さに応じたそれぞれの位置に形成しておけば、ワインダー装置で形成される巻取紙の幅員が変更された場合でも、離隔ガイド部の支持脚部を挿入するホルダ孔を変更するだけで、該巻取紙に応じた紙管に容易に対処することができる。
【００１８】
【発明の実施の形態】
以下、図示した好ましい実施の形態に基づいて、この発明に係る紙巻き取り紙管に対する接着テープ貼付装置を具体的に説明する。
【００１９】
図１はこの発明に係る接着テープ貼付装置の概略を示す斜視図で、図２は正面図である。両面が接着面とされた接着テープ11が貼付される紙管12と、ほぼ平行にガイドレール13が設けられている。要求される幅員に応じて、紙管12は４〜８本がその軸方向に並べられるが、本実施形態では、４本がその軸方向に並べられている。前記ガイドレール13に連繋するローラ14a を回転自在に支持している接着テープ貼付装置の装置本体14が、該ガイドレール13に案内されて走行するようにしてある。
【００２０】
装置本体14には接着テープ11を保持するテープ保持盤15が回転自在に支持され、これに隣接して両面テープの剥離紙11b を巻き取る剥離紙巻き取り盤16が支持されている。また、装置本体14には、接着テープ11から剥がされた剥離紙11b を案内するガイドローラ17と紙管12の表面に当接されて、接着テープ11を紙管12に貼付するテーピングローラ18とが、それぞれ回転自在に支持されている。接着テープ11は剥離紙が付着した状態で前記テーピングローラ18に巻回され、該テーピングローラ18にて剥離紙11b が剥離されて該剥離紙11b はガイドローラ17で案内されて前記剥離紙巻き取り盤16に回収される。また、この剥離紙巻き取り盤16が回転駆動されることによってテープ保持盤15に保持された接着テープ11が引き出される。このとき、テープ保持盤15に適宜な制動力を加えることにより、接着テープ11が適宜に緊張されるようにしてある。テーピングローラ18は紙管12の表面に当接されるようにしてあり、剥離紙が剥離した接着テープ11は紙管12に貼付されることになる。なお、紙管12を交換したり、紙管12を巻き取り位置まで移動したりする際には、前記装置本体14が紙管12の移動に支障とならないように、装置本体14は昇降自在とされており、上昇時には紙管12の移動域から退避するようにされ、下降時には適宜な付勢手段を介してテーピングローラ18が紙管12に適宜に押圧されるようにしてある。さらに、適宜な付勢手段によって、装置本体14に外力が加えられた場合にガイドレール13から離隔することが許容され、該外力が除去された場合にはローラ14a がガイドレール13に押圧されるようにしてある。
【００２１】
そして、前記ガイドレール13の前記ローラ14a が載置されるレール面13a には、離隔手段としての離隔ガイド部20が設けられている。この離隔ガイド部20は、図２に示すように、隣接させた紙管12の端部12a 同士が位置した部分に対応する位置に設けられている。
【００２２】
図３は前記離隔ガイド部20を形成する離隔ガイド21の概略形状を示す斜視図である。この離隔ガイド21のガイド主体22はガイドレール13とほぼ等しい幅員で、断面ほぼ台形で形成されている。この台形の下底の長さの半分を、後述する作用において、紙管12に貼付された接着テープ11の端部が巻取紙10（図５示）の側面から突出しないようにするのに充分な長さとしてある。また、高さ及び上底の長さは、台形の斜面に案内されて走行する装置本体14が離隔ガイド21から離脱してしまわないものとしてある。
【００２３】
前記ガイド主体22の底面には、下底の方向に沿って適宜な間隔を隔てて一対の適宜長さの支持脚部23が植設されている。他方、ガイドレール13のガイド面にはこの支持脚部23を挿抜自在に挿入できるホルダ孔24が形成されている。このホルダ孔24は、隣接された紙管12の端部12a 同士に対応した位置に離隔ガイド21を位置させるのに適宜な位置に形成されており、また、紙管12の長さが変更された状況でも、支持脚部23を挿入するホルダ孔24を変更することにより対処できるようにしてある。
【００２４】
以上により構成されたこの発明に係る紙巻き取り紙管に対する接着テープ貼付装置の実施形態について、以下にその作用を説明する。
【００２５】
装置本体14がガイドレール13に案内されて走行すると、テーピングローラ18を経由して剥離紙11b が剥離された接着テープ11を紙管12の表面に押し付ける。これにより、接着テープ11が紙管12に貼付される。なお、剥離紙11b はガイドローラ17で案内されて剥離紙巻き取り盤16に回収される。
【００２６】
装置本体14が離隔ガイド部20を形成する離隔ガイド21に達すると、その台形の斜面に案内されて該装置本体14を上昇させる。このため、接着テープ11が引っ張られて大きな張力が加えられる。接着テープ11は予め緊張させられた状態にあるから、僅かな張力が加えられるだけで切断される。すなわち、装置本体14が離隔ガイド21に案内されると、接着テープ11が切断される。離隔ガイド21の端部は、紙管12の端部12a よりも内側に位置しているから、切断された接着テープ11の端部は紙管12の端部12a よりも内側に位置することになる。
【００２７】
装置本体14が離隔ガイド21を通過し、ガイドレール13に達すると、接着テープ11が再び紙管12に接着することになる。このとき、接着の開始位置は離隔ガイド21の端部となり、この端部は紙管12の端部12a よりも内側に位置しているから、接着テープ11の端部も紙管12の端部12a よりも内側に位置することになる。
【００２８】
上述のように接着テープ11が貼付されると、図１及び図２に示すように紙管12の隣接した端部12a 同士の部分には接着テープ11が貼付されない状態となる。このように接着テープ11が貼付された紙管12をワインダー装置に供して、適宜な幅員に切断された紙を巻き取ることになる。紙は、その先端が接着テープ11で貼着されて紙管12に巻き付けられる。この際、接着テープ11の端部は紙管12の端部12a の内側にあって、紙は接着テープ11の端部を覆う状態に巻き付くことになるから、図５に示すように、接着テープ11の端部が巻取紙10で隠され、接着テープ11の端部が巻取紙10の側面に接着することが防止される。
【００２９】
なお、この実施形態により、紙管12の端部から接着テープ11の端部までが約40mmで切断されるように離隔ガイド21の形状を設定して接着テープ11を紙管12に貼付して試験したところ、巻取紙10の側面に接着テープ11が露呈することがなく、良好な結果を得られた。
【００３０】
以上説明した実施形態では、離隔手段を、ガイドレール13に着脱自在な離隔ガイド21をガイドレール13に装着して離隔ガイド部20を形成した構造として説明したが、適宜位置で装置本体14をガイドレール13から離隔することができれば、例えば当該位置で装置本体14を、アクチュエータによって昇降させる構造としても構わない。
【００３１】
【発明の効果】
以上説明したように、この発明に係る紙巻き取り紙管に対する接着テープ貼付装置によれば、隣接する紙管の端部において接着テープを切断して、該接着テープの端部が紙管の端部よりも確実に内側に位置するから、接着テープの端部が巻取紙の側面に付着してしまって、印刷機などにおいて断紙が生じることを確実に防止することができる。
【００３２】
また、請求項２の発明に係る紙巻き取り紙管に対する接着テープ貼付装置によれば、ガイドレールに離隔ガイド部を設けて装置本体をガイドレールから離隔させるから、簡単な構造で装置本体を確実にガイドレールから離隔させることができる。
【００３３】
また、請求項３の発明に係る紙巻き取り紙管に対する接着テープ貼付装置によれば、離隔ガイド部を必要に応じてガイドレールに装着することができると共に、離隔ガイド部を取り付ける位置の変更を行うことができる。
【００３４】
また、請求項４の発明に係る紙巻き取り紙管に対する接着テープ貼付装置によれば、巻取紙の幅員に応じて離隔ガイド部を設定することができるので、ワインダー装置によって巻き直される巻取紙の種類に容易に対応することができる。
【図面の簡単な説明】
【図１】この発明に係る紙巻き取り紙管に対する接着テープ貼付装置の概略構造を示す斜視図である。
【図２】この発明に係る紙巻き取り紙管に対する接着テープ貼付装置の概略を示す正面図である。
【図３】この発明の要部に係る離隔ガイドの斜視図である。
【図４】離隔ガイドをレールに装着した状態の正面図で、一部を切断して示してある。
【図５】この発明に係る接着テープ貼付装置によって接着テープが貼付された紙管に巻き取られた巻取紙の側面図である。
【図６】従来の紙巻き取り紙管に対する接着テープ貼付装置の概略を示す正面図で、図１に相当している。
【図７】従来の問題点を説明するための図で、巻取紙の側面図である。
【符号の説明】
10  巻取紙
11  接着テープ
12  紙管
12a  端部
13  ガイドレール
14a  ローラ
14  装置本体
15  テープ保持盤
16  剥離紙巻き取り盤
17  ガイドローラ
18  テーピングローラ
20  離隔ガイド部（離隔手段）
21  離隔ガイド
22  ガイド主体
23  支持脚部
24  ホルダ孔
【図１】
0003849121.tif 000002
【図２】
0003849121.tif 000003
【図３】
0003849121.tif 000004
【図４】
0003849121.tif 000005
【図５】
0003849121.tif 000006
【図６】
0003849121.tif 000007
【図７】
0003849121.tif 000008